(57)【要約】【課題】小型軽量であるが、音量音質とも豊かなハープを得る。【解決手段】ハープの共鳴胴がヘッドの複数のチューニングペグが取り付けられ面と同じ面内にある側面部を有し、その側面部に複数の弦を繋着する複数の弦穴が設けられた細長形状のブリッジを固着し、チューニングペグと弦穴との間に弦を張る。共鳴胴の側面部の内側に前記複数の弦の方向と平行な方向に力木が取り付ける。また、ブリッジを高音弦用と低音弦用に分割し、共鳴孔高音側と低音側に設ける。【選択図】図８
2007171682.tif 000002
【特許請求の範囲】
【請求項１】
ヘッドとピラーと共鳴胴とからなり、前記ヘッドと前記共鳴胴との間に複数の弦が張られるハープであって、
前記ヘッドには前記複数の弦を巻着するための複数のチューニングペグが取り付けられ、
前記共鳴胴が前記ヘッドのチューニングペグが取り付けられる面と同じ面内にある側面部を有し、
前記側面部に前記複数の弦を繋着する弦穴が設けられた細長形状のブリッジが固着された、ハープ。
【請求項２】
前記共鳴胴の前記側面部の内側に前記複数の弦の方向と平行な方向に力木が取り付けられている、請求項１のハープ。
【請求項３】
前記ブリッジが高音弦用のブリッジと、低音弦用のブリッジとに分割されて設けられている、請求項１のハープ。
【請求項４】
さらに、前記側面部に高音側共鳴孔及び低音側共鳴孔が設けられている、請求項３のハープ。
【発明の詳細な説明】
【利用分野】
【０００１】
本出願に係る発明は、ハープのように多くの弦を有する撥弦楽器に関するものである。
【背景技術】
【０００２】
余暇の充実、拡大により従来は聞くだけであった音楽を、自ら楽器を演奏することにより楽しむ愛好者が増加している。このような愛好者にとっては、演奏する楽器は持ち運びなどの利便性を考えると、極力小さく、かつ、軽量であることが望ましい。しかし、大きな音で演奏できることは、さらに重要である。
【０００３】
弦の振動を共鳴胴に響かせて音を発する弦楽器において、楽器の発する音量は共鳴胴の大きさに依存する。すなわち、同じ音高の楽器では、共鳴胴が大きい弦楽器の方が、小さい楽器よりも豊かな音が得られる。
【０００４】
弦楽器で演奏される音の高さ（音の振動数）は、弦の長さや弦の単位長当りの質量及びその弦に印加する張力によって決まる。すなわち、振動数の低い音を発音させるには、単位長当りの質量の大きな太い弦を長く張った構造が採られる。一方、振動数の高い音を発音させるには、単位長当りの質量が小さい細い弦を短く張った構造が採られる。
【０００５】
共鳴胴を有し、複数の弦の振動を共鳴胴に響かせる弦楽器においては、弦楽器全体の大きさは、最低音を発する弦の長さと、その弦の振動を響かせる共鳴胴の大きさに依存する。
【０００６】
低音を発音できるように、単位長当りの質量が大きい太い弦を長く張った場合、共鳴胴が小さい場合には、弦から発音される音の振動数は所定の低い音であっても、共鳴胴が小さいため、楽器全体から豊かな音を得ることはできない。
【０００７】
一般的な弦楽器の例で言えば、低音を発するチェロは、高音を発するバイオリンより遥かに大きな共鳴胴を有している。すなわち、チェロのような低音まで十分な音量を発するためには、バイオリンのような小さな共鳴胴では十分な音量が得られない。
【０００８】
複数の弦を音階的に配列し、その弦を弾いて演奏する、ハープなどの撥弦楽器でも同様である。
【０００９】
従来のハープの構造を図１に示した一部破断側面図及び図２に示した斜視図により説明する。
ここに示したハープは、ペダルを有する大型のグランドハープではなく、アイリッシュハープあるいはインディアンハープと呼ばれるペダルを有しない比較的小型のハープである。
【００１０】
このハープは、共鳴胴２，ピラー５ａを有するネック５，ネック５と共鳴胴２との間に張られた複数の弦１とから構成されている。
共鳴胴２は１対の側板７，７’，表板３，裏板３’，上板８，底板９から構成された略菱餅型形状の箱である。なお、表板３は響板として機能する。
【００１１】
裏板３’には、通常１個又は複数個の共鳴穴が開けられている。
ネック５の高音弦側の一方の端は上板８に、低音弦側のもう一方の端は底板９に載った状態で固定されている。                                            
【００１２】
複数の弦１の一端はネック５に所定の間隔で開けられた穴に摩擦係合して埋め込まれたチューニングペグ６に巻着され、他端は表板３に所定の間隔で開けられた弦穴４を貫通して表板３の裏側で繋着されている。
最低音弦１-Lと最高音弦１-Hの間には、複数の弦が音階的に配列されており、チューニングペグ６を回して、弦１に所定の張力を印加することによってチューニングが行われる。
【００１３】
前述のように弦１の一端は共鳴胴２を構成している表板３に繋着されているので、弦１が振動した時に表板３も振動し、その振動によって共鳴胴全体が振動して豊かな音が発音される。
【００１４】
ネック５と表板３の間に、２２本の弦を張った小型ハープの場合には、弦の張力の合計値は約１７０Ｋｇとなる。それらの張力は表板３の中央部を上向きに引張る力として作用している。したがって、表板３には大きな強度が必要となる。
【００１５】
図３は、図１に示したハープの一本の弦の断面を表板３の中央線上で示したものである。弦１の張力は表板３の中央部を上向きに引張る力として作用しているので、表板３の面積を大きく確保しようとして表板３の幅を大きくすると、表板３には大きな曲げモーメントが作用する。表板３をその曲げモーメントに耐える構造にするには板厚を厚くする必要があり、その結果表板３が振動し難くなってしまい、豊かな音は期待できない。したがって、表板３の大きさには、材料強度との関係で限界があり、共鳴胴２の大きさ全体が制約される。
【００１６】
図４は表板３に作用する曲げモーメントＭの状態を模式的に表したものである。表板３の平均的な幅をｌとして、複数の弦の張力の総和をＷとした場合、表板３に作用する曲げモーメントの大きさＭは、Ｍ＝（Ｗｌ）／８と近似できる。表板３の幅が大きい場合は、それにしたがって曲げモーメントが大きくなり、例示するように表板３が大きく曲がってしまうことがある。
【００１７】
そのため、最低音弦１-Lに対して必要な表板３の面積や共鳴胴２の容積を確保できなくなり、豊かな音量が得られなくなる。また、表板３の強度を確保するために厚い部材で表板３を構成して大きな共鳴胴を構成した場合は、豊かな音量をえることはできても、楽器が大型になり、重量も大きくなってしまうために、持ち運びが困難になる。
【発明の開示】
【発明が解決しようとする課題】
【００１８】
本出願では、従来構造の撥弦楽器では得ることができない、小型軽量化したにもかかわらず豊かな音を発する撥弦楽器を得ることを課題とする。
【課題を解決するための手段】
【００１９】
この課題を解決するために本出願では、
ヘッドとピラーと共鳴胴とからなり、ヘッドと共鳴胴との間に複数の弦が張られ、ヘッドに複数の弦を巻着するための複数のチューニングペグが取り付けられ、共鳴胴がヘッドのチューニングペグが取り付けられる面と同じ面内にある側面部を有し、その側面部に複数の弦を繋着する弦穴が設けられた細長形状のブリッジが固着されたハープ、及び共鳴胴の側面部の内側に複数の弦の方向と平行な方向に力木が取り付けられたハープ、及びブリッジが高音弦用のブリッジと、低音弦用のブリッジとに分割されて設けられているハープ、及び側面部に高音側共鳴孔及び低音側共鳴孔が設けられているハープの構造を提供する。
【発明の効果】
【００２０】
共鳴胴を構成する部材のうち最も発音のための振動に寄与する表板の面積を大きく確保しても表板に掛かる曲げモーメントを小さく出来るので、厚い部材の表板を用いる必要が無く楽器自身を軽く構成出来るので、持ち運びの利便性を大きく向上した撥弦楽器を得ることが可能となった。
【発明を実施するための最良の形態】
【００２１】
以下、図を参照して本発明を実施するための最良の形態を説明する。
図５に示した側面図及び図６に示した斜視図により、本出願に係る発明の実施例であるハープを説明する。
【００２２】
このハープは、共鳴胴１２，ピラー１５ａを有するネック１５，ネック１５と共鳴胴１２との間に張られた複数の弦１１とから構成されている。
共鳴胴１２は５角形形状の１対の側板１７，１７’，表板１３，裏板１３’，上板１８，底板１９，前板１９’から構成された略５角柱形状の箱である。
側板１７又は側板１７’には１個又は複数個の共鳴穴が開けられている。
【００２３】
ネック１５の高音弦側の一方の端は上板１８に、低音弦側のもう一方の端は側板１７の上板１８から遠い位置に載った状態で固定されている。側板１７にはブリッジ１０が固着されている。
【００２４】
複数の弦１１の一端はネック１５に所定の間隔で開けられた穴に摩擦係合して埋め込まれたチューニングペグ１６に巻着され、他端はブリッジ１０に所定の間隔で開けられた弦穴１４を貫通してブリッジ１０に繋着されている。
最低音弦１１-Lと最高音弦１１-Hの間には、複数の弦が音階的に配列されており、チューニングペグ１６を回して、弦１１に所定の張力を印加することによってチューニングが行われる。
【００２５】
ネック１５のチューニングペグ１６が埋め込まれている面と側板１７は同一面上にある。
【００２６】
表板１３は弦１１の中央部に近い位置にあるが、ハープなどの撥弦楽器で弦を發く位置は、ほぼ弦の中央部であるので、演奏の妨げになることはない。
【００２７】
図７に、図５に示したハープの一本の弦１１の取り付け構造を示す。
弦１１はチューニングペグ１６とブリッジ１０の弦穴１４との間に張られているため、側板１７に固着されているブリッジ１０にはチューニングペグ１６の方向に弦の張力が作用している。側板１７の表面から弦穴１４までの寸法ｈが大きい場合は、複数の弦の張力の総和をＷとして、ブリッジ１０が固着された側板１７にはＭ＝Ｗｈの曲げモーメントが作用する。
【００２８】
図４に示した従来構造のハープの表板３の平均的な幅ｌと、本発明実施例のハープの側板１７の表面から弦穴１４までの寸法ｈとを比較した場合、本発明の一実施例の側板１７の表面から弦穴１４までの寸法ｈは図１に示した従来のハープの表板３の平均的な幅ｌより遥かに小さいので、側板１７に作用する曲げモーメントＭは非常に小さな値となる。
【００２９】
ネック１５とブリッジ１０との間に、２２本の弦を張った小型ハープの場合、弦の張力の合計値は図１に示した従来例のハープの場合と同様に約１７０Ｋｇである。しかしながら、それらの張力は図４に示した従来例のように面に垂直に作用するのではなく、面の中央部で面に平行に横向きの力として作用する。そのため、側板１７には横方向の引張りの力が作用するが、大きな曲げモーメントにはならない。
【００３０】
したがって、側板１７を薄い材料により大きな面積にすることができるので、響きの良い豊かな音で演奏可能なハープを得ることができる。
さらに、側板１７の幅を大きくすることも可能であるため、重量を殆ど増加させることなく、大きな共鳴胴１２を構成し、より豊かな音量を得ることが可能となる。
【００３１】
なお、側板１７に作用する曲げモーメントが小さくても長時間経過した場合に側板１７が僅かに変形する可能性を否定することはできない。そのようなことを防ぐには、側板１７の裏側に幅が狭く長手方向に長い力木２４を弦の引っ張り方向や斜め方向に何本か貼り付け、側板１７の曲げ剛性を大きくしておくことが望ましい。
【００３２】
図８に、他の実施例を示す。
この実施例では、１７本の弦を張ったハープの例を示す。
弦楽器で演奏される音の高さは、弦の長さや弦の単位長当りの質量及びその弦に印加する張力によって決まるが、本実施例の場合は、低音弦２１-L1，２１-L2，２１-L3，２１-L4の４本には、金属巻線やナイロンなどの樹脂巻線を施し単位長当りの質量を増加した弦を用いている。このような弦を使用することによって、短い弦長で低い音を得ることができるので、楽器全体を小型に構成することができる。
【００３３】
図１に示した従来構造のハープの場合には、全ての弦の長さはネックに摩擦係合して埋め込まれたチューニングペグ６から斜めに一平面に構成されている表板３の弦穴４までの寸法によって段階的に一義的に決まる。
【００３４】
このような場合特に低音弦のみ短く構成して楽器全体の寸法を小型に構成することは出来ない。表板は一平面に構成されているので、仮に低音弦を短くして楽器全体を小型に構成しようとした場合には、同時に高音弦も比例的に短くなってしまい所定の音の高さ（音の振動数）を得ようとした場合弦の張力を下げる必要が生じ、結果として発音される音の音量が減ってしまうばかりでなく、音色も損なわれる。
【００３５】
図８に示す実施例の場合には、弦の一方の端を構成しているブリッジを高音側ブリッジ１０-1と低音側ブリッジ１０-2に分割し、低音弦２１-L1，２１-L2，２１-L3，２１-L4の４本に金属巻線やナイロンなどの樹脂巻線を施し単位長当りの質量を増加した弦を用いることによって、低音弦の長さを短く構成することが可能となり、楽器全体を小型に構成出来る。
【００３６】
共鳴胴２２は側板２７，２７’，湾曲した表板２３，彎曲した裏板２３’及び、上板２８によって形成されている。また、側板２７には、高音側共鳴孔３０-1及び低音側共鳴孔３０-2が開けられている。ネック２５の一方の端は上板２８に、もう一方の端は底板に固定されている。ネック２５のチューニングペグ２６が埋め込まれている面と側板２７の面は同一面に構成されている。
【００３７】
高音側ブリッジ１０-1と低音ブリッジ１０-2は側板２７の所定の位置に固着されている。高音側ブリッジ１０-1に係止されている弦の長さは従来構造のハープの場合と同等の長さに設定されているので高音弦の張力を低下させる必要は全く無く発音される音の音量低下を招くことは無い。弦の張力により表板３に作用する曲げモーメントによって側板２７の変形を防ぐために、側板２７の裏側に幅が狭く長手方向に長い力木３１を弦の引っ張り方向に４本貼り付け、側板２７の曲げ剛性を大きくしている。
【００３８】
実施例に示したハープにおいて、複数の弦はブリッジの弦穴に繋着している。この構造に代えて、バイオリン属の楽器で行われているように裏板あるいは裏板に取り付けられた部材に繋着する構造とすることも可能である。
【００３９】
一部の弦の弦長を短くして楽器全体を小型に構成しているにも拘わらず、表板２７の位置は弦の中央部に近い位置まで大きくできるので、側板２７の表面積は従来構造のハープの場合より１.５倍近くまで大きく確保できる。
【００４０】
従来構造のハープは高さ：７６５mm、正面巾：２３０mm、奥行：５００mm、重量：３.２Kgであったものが、同等の能力を有する本発明実施例のハープは、高さ：６００mm、正面巾：１１０mm、奥行：４００mm、重量：２.４Kgで済む。
【産業上の利用可能性】
【００４１】
本発明に係るハープは、従来構造のハープの場合より共鳴胴の厚さを小さくしても従来構造のハープと同等体積の共鳴胴を構成でき、響きの良い豊かな音で演奏可能な楽器を構成出来る。
また、共鳴胴の厚さを従来構造のハープと同等程度まで厚くすれば共鳴胴の体積は従来構造のハープの１.５倍程度まで大きく構成でき、更に響きの良い大きな音量の音で演奏可能な楽器を構成出来る。
【００４２】
以上の説明から明らかなように、本発明に係るハープは小型軽量化することが可能となり楽器の持ち運びなどの利便性は大きく向上したと共に発音される音の音量音質とも、損なわれることがない。
【図面の簡単な説明】
【００４３】
【図１】従来のハープの側面図。
【図２】図１のハープの斜視図。
【図３】図１のハープの内部構造の説明図。
【図４】図１のハープに作用する力の説明図。
【図５】本発明実施例のハープの側面図。
【図６】図５のハープの斜視図。
【図７】図５のハープに作用する力の説明図。
【図８】本発明のさらに他の実施例のハープ斜視図。
【符号の説明】
【００４４】
１，１１，２１  弦
１１-L  最低音弦
１１-H  最高音弦
２，１２，２２  共鳴胴
３，１３，２３  表板
３’，１３’，２３’裏板
４，１４  弦穴
５，１５，２５  ネック
５ａ，１５ａ  ピラー
６，１６，２６  チューニングペグ
７，７’，１７，１７’，２７，２７’  側板
８，１８，２８  上板
９，１９，２９  底板
１０  ブリッジ
１０-1  高音側ブリッジ
１０-2  低音側ブリッジ
２４，３１  力木
３０-1  高音側共鳴孔
３０-2  低音側共鳴孔
【図１】
2007171682.tif 000003
【図２】
2007171682.tif 000004
【図３】
2007171682.tif 000005
【図４】
2007171682.tif 000006
【図５】
2007171682.tif 000007
【図６】
2007171682.tif 000008
【図７】
2007171682.tif 000009
【図８】
2007171682.tif 000010